(57)【特許請求の範囲】
【請求項１】
循環搬送路側から外側に向かって上りに傾斜した部分と略水平な部分を該循環搬送路の外側に該循環搬送路の両側に有するレール部のうちの少なくとも一方の該レール部に渡って設けたことを特徴とする飲食物循環搬送装置。
【請求項２】
循環搬送路側から外側に向かって上りに湾曲した部分と略水平な部分を該循環搬送路の外側に該循環搬送路の両側に有するレール部のうちの少なくとも一方の該レール部に渡って設けたことを特徴とする飲食物循環搬送装置。
【発明の詳細な説明】
【技術分野】
【０００１】
本発明は飲食物循環搬送装置に係わる。
【背景技術】
【０００２】
特許文献１においては書類より先願のマグネットを用いた搬送装置に改良を加え、飲食容器の摺動抵抗を小さくすることにより、マグネットの吸着力を最小限とし、容器の取り出しを容易に行いうるようにしたというところで本発明と目的を異にし、又、書類より循環搬送路側から外側に向かって上りに傾斜した部分あるいは循環搬送路側から外側に向かって上りに湾曲した部分と略水平な部分を前記循環搬送路の外側に前記循環搬送路の両側に有するレール部のうちの少なくとも一方の前記レール部に渡って設けたことが明確ではないというところで本発明と構成を異にする。
【先行技術文献】
【特許文献】
【０００３】
【特許文献１】特開２００１−０２９２０７号公報
【発明の概要】
【発明が解決しようとする課題】
【０００４】
寿司などの飲食物などを置いた皿の略端部をつまんで前記皿の略端部あるいは前記皿の脚を滑らせた形態で前記皿を循環搬送路の両側に有するレール部のうちの少なくとも一方の前記レール部を介して前記循環搬送路にスムーズに置くこと、前記皿の略端部をつまんで前記皿の略端部あるいは前記皿の脚を滑らせた形態で前記皿を前記循環搬送路から前記レール部のうちの少なくとも一方の前記レール部を介してスムーズに取ることが困難であるという短所があった。又、前記皿を前記循環搬送路一杯に置いた場合、前記皿が前記循環搬送路からはみだして落下するときがあるという短所があった。
【課題を解決するための手段】
【０００５】
循環搬送路側から外側に向かって上りに傾斜した部分と略水平な部分を該循環搬送路の外側に該循環搬送路の両側に有するレール部のうちの少なくとも一方の該レール部に渡って設けたことを特徴とする。
【０００６】
循環搬送路側から外側に向かって上りに湾曲した部分と略水平な部分を該循環搬送路の外側に該循環搬送路の両側に有するレール部のうちの少なくとも一方の該レール部に渡って設けたことを特徴とする。
【発明の効果】
【０００７】
本発明は、循環搬送路側から外側に向かって上りに傾斜した部分と略水平な部分を該循環搬送路の外側に該循環搬送路の両側に有するレール部のうちの少なくとも一方の該レール部に渡って設けたことで、寿司などの飲食物などを置いた皿の略端部をつまんで該皿の略端部あるいは該皿の脚を滑らせた形態で該皿を該傾斜した部分を介して該循環搬送路にスムーズに置くこと、該皿の略端部をつまんで該皿の略端部あるいは該皿の脚を滑らせた形態で該皿を該循環搬送路から該傾斜した部分を介してスムーズに取ることができる。又、前記設けたことで、該皿の軌道修正部を安定して設けることができる。又、前記設けたことで、該皿を該循環搬送路一杯に置いた場合、該傾斜した部分で該皿が滑って該循環搬送路に戻るあるいは該皿の軌道修正部で該皿の軌道を修正することで該皿が該循環搬送路に戻ることから、該皿が該循環搬送路からはみだして落下することを防止することができる。
【０００８】
又、本発明は、循環搬送路側から外側に向かって上りに湾曲した部分と略水平な部分を該循環搬送路の外側に該循環搬送路の両側に有するレール部のうちの少なくとも一方の該レール部に渡って設けたことで、寿司などの飲食物などを置いた皿の略端部をつまんで該皿の略端部あるいは該皿の脚を滑らせた形態で該皿を該湾曲した部分を介して該循環搬送路にスムーズに置くこと、該皿の略端部をつまんで該皿の略端部あるいは該皿の脚を滑らせた形態で該皿を該循環搬送路から該湾曲した部分を介してスムーズに取ることができる。又、前記設けたことで、該皿の軌道修正部を安定して設けることができる。又、前記設けたことで、該皿を該循環搬送路一杯に置いた場合、該湾曲した部分で該皿が滑って該循環搬送路に戻るあるいは該皿の軌道修正部で該皿の軌道を修正することで該皿が該循環搬送路に戻ることから、該皿が該循環搬送路からはみだして落下することを防止することができる。
【０００９】
又、本発明は低コストで実現することができるため、材料費のコストダウンを図ることができる。
【図面の簡単な説明】
【００１０】
【図１】本発明の実施例１の飲食物循環搬送装置の外観図
【図２】図１の本発明の実施例１の飲食物循環搬送装置のＡ−Ａ断面図
【図３】寿司などの飲食物などを置いた皿の略端部をつまんで前記皿の略端部あるいは前記皿の脚を滑らせた形態で前記皿を循環搬送路の両側に有するレール部のうちの少なくとも一方の前記レール部に設けた前記循環搬送路側から外側に向かって上りに傾斜した部分を介して前記循環搬送路にスムーズに置いたときの図１の本発明の実施例１の飲食物循環搬送装置のＡ−Ａ断面図
【図４】寿司などの飲食物などを置いた皿の略端部をつまんで前記皿の略端部あるいは前記皿の脚を滑らせた形態で前記皿を循環搬送路の両側に有するレール部のうちの少なくとも一方の前記レール部に設けた前記循環搬送路側から外側に向かって上りに傾斜した部分を介して前記循環搬送路からスムーズに取ったときの図１の本発明の実施例１の飲食物循環搬送装置のＡ−Ａ断面図
【図５】本発明の実施例２の飲食物循環搬送装置の外観図
【図６】図５の本発明の実施例２の飲食物循環搬送装置のＢ−Ｂ断面図
【図７】寿司などの飲食物などを置いた皿の略端部をつまんで前記皿の略端部あるいは前記皿の脚を滑らせた形態で前記皿を循環搬送路の両側に有するレール部のうちの少なくとも一方の前記レール部に設けた前記循環搬送路側から外側に向かって上りに湾曲した部分を介して前記循環搬送路にスムーズに置いたときの図５の本発明の実施例２の飲食物循環搬送装置のＢ−Ｂ断面図
【図８】寿司などの飲食物などを置いた皿の略端部をつまんで前記皿の略端部あるいは前記皿の脚を滑らせた形態で前記皿を循環搬送路の両側に有するレール部のうちの少なくとも一方の前記レール部に設けた前記循環搬送路側から外側に向かって上りに湾曲した部分を介して前記循環搬送路からスムーズに取ったときの図５の本発明の実施例２の飲食物循環搬送装置のＢ−Ｂ断面図
【図９】従来の飲食物循環搬送装置の外観図
【図１０】図９の従来の飲食物循環搬送装置のＣ−Ｃ断面図
【図１１】寿司などの飲食物などを置いた皿の略端部をつまんで前記皿を循環搬送路の両側に有するレール部のうちの少なくとも一方の前記レール部をまたいで前記循環搬送路に置いたときの図９の従来の飲食物循環搬送装置のＣ−Ｃ断面図
【図１２】寿司などの飲食物などを置いた皿の略端部をつまんで前記皿を循環搬送路の両側に有するレール部のうちの少なくとも一方の前記レール部をまたいで前記循環搬送路から取ったときの図９の従来の飲食物循環搬送装置のＣ−Ｃ断面図
【発明を実施するための形態】
【００１１】
本発明を実施するための形態を各図を参照して説明する。
本発明は、循環搬送路３側から外側に向かって上りに傾斜した部分５と略水平な部分７を該循環搬送路３の外側に該循環搬送路３の両側に有するレール部４のうちの少なくとも一方の該レール部４に渡って設けた飲食物循環搬送装置である。本発明の素材は合成樹脂、金属などにしてもよい。又、該循環搬送路３はクレセントチェーンによるフラットチェーンコンベアにしてもよい。又、該循環搬送路３と該レール部４の該循環搬送路３側の略端部の高さは略一致していてもよいし、略一致していなくてもよい。又、該傾斜した部分５と該略水平な部分７を設ける手段は交互に設ける場合、交互に設けない場合を含む。又、該傾斜した部分５と該略水平な部分７はそれぞれ１ヶ所に限定しなくてもよい。
【００１２】
又、本発明は、循環搬送路３側から外側に向かって上りに湾曲した部分６と略水平な部分７を該循環搬送路３の外側に該循環搬送路３の両側に有するレール部４のうちの少なくとも一方の該レール部４に渡って設けた飲食物循環搬送装置にしてもよい。又、該湾曲した部分６は該循環搬送路３側から外側に向かって上りに湾曲していれば上向きに湾曲していてもよいし、下向きに湾曲していてもよい。又、該湾曲した部分６と該略水平な部分７を設ける手段は交互に設ける場合、交互に設けない場合を含む。又、該湾曲した部分６と該略水平な部分７はそれぞれ１ヶ所に限定しなくてもよい。
【実施例１】
【００１３】
本発明の実施例１においては図１〜図４に示すように循環搬送路３側から外側に向かって上りに傾斜した部分５と略水平な部分７を該循環搬送路３の外側に該循環搬送路３の両側に有するレール部４のうちの少なくとも一方の該レール部４に渡って設けた飲食物循環搬送装置に係わる。又、本発明の実施例１においては図においては皿８に置いた寿司などの飲食物などは省略する。又、本発明の実施例１の飲食物循環搬送装置を飲食物循環搬送装置１とする。
【００１４】
図９〜図１２に示す従来の飲食物循環搬送装置においては図１１に示すように寿司などの飲食物などを置いた皿８の略端部をつまんで該皿８の略端部あるいは該皿８の脚９を滑らせた形態で該皿８を循環搬送路３の両側に有するレール部４のうちの少なくとも一方の該レール部４を介して該循環搬送路３にスムーズに置くこと、図１２に示すように該皿８の略端部をつまんで該皿８の略端部あるいは該皿８の脚９を滑らせた形態で該皿８を該循環搬送路３から該レール部４のうちの少なくとも一方の該レール部４を介してスムーズに取ることが困難である。又、該皿８を該循環搬送路３一杯に置いた場合、該皿８が該循環搬送路３からはみだして落下するときがある。
【００１５】
しかし、本発明の実施例１においては図１〜図４に示すように循環搬送路３側から外側に向かって上りに傾斜した部分５と略水平な部分７を該循環搬送路３の外側に該循環搬送路３の両側に有するレール部４のうちの少なくとも一方の該レール部４に渡って設けたことで、図３に示すように寿司などの飲食物などを置いた皿８の略端部をつまんで該皿８の略端部あるいは該皿８の脚９を滑らせた形態で該皿８を該傾斜した部分５を介して該循環搬送路３にスムーズに置くこと、図４に示すように該皿８の略端部をつまんで該皿８の略端部あるいは該皿８の脚９を滑らせた形態で該皿８を該循環搬送路３から該傾斜した部分５を介してスムーズに取ることができる。又、前記設けたことで、図１に示すように該皿８の軌道修正部１０を安定して設けることができる。又、前記設けたことで、該皿８を該循環搬送路３一杯に置いた場合、該傾斜した部分５で該皿８が滑って該循環搬送路３に戻るあるいは該皿８の軌道修正部１０で該皿８の軌道を修正することで該皿８が該循環搬送路３に戻ることから、該皿８が該循環搬送路３からはみだして落下することを防止することができる。
【００１６】
又、本発明の実施例１は低コストで実現することができるため、材料費のコストダウンを図ることができる。
【実施例２】
【００１７】
本発明の実施例２においては図５〜図８に示すように循環搬送路３側から外側に向かって上りに湾曲した部分６と略水平な部分７を該循環搬送路３の外側に該循環搬送路３の両側に有するレール部４のうちの少なくとも一方の該レール部４に渡って設けた飲食物循環搬送装置に係わる。又、従来の飲食物循環搬送装置においての説明は本発明の実施例１と同様であるため、省略する。又、本発明の実施例２においては図においては皿８に置いた寿司などの飲食物などは省略する。又、本発明の実施例２の飲食物循環搬送装置を飲食物循環搬送装置２とする。
【００１８】
本発明の実施例２においては図５〜図８に示すように循環搬送路３側から外側に向かって上りに湾曲した部分６と略水平な部分７を該循環搬送路３の外側に該循環搬送路３の両側に有するレール部４のうちの少なくとも一方の該レール部４に渡って設けたことで、図７に示すように寿司などの飲食物などを置いた皿８の略端部をつまんで該皿８の略端部あるいは該皿８の脚９を滑らせた形態で該皿８を該湾曲した部分６を介して該循環搬送路３にスムーズに置くこと、図８に示すように該皿８の略端部をつまんで該皿８の略端部あるいは該皿８の脚９を滑らせた形態で該皿８を該循環搬送路３から該湾曲した部分６を介してスムーズに取ることができる。又、前記設けたことで、図５に示すように該皿８の軌道修正部１０を安定して設けることができる。又、前記設けたことで、該皿８を該循環搬送路３一杯に置いた場合、該湾曲した部分６で該皿８が滑って該循環搬送路３に戻るあるいは該皿８の軌道修正部１０で該皿８の軌道を修正することで該皿８が該循環搬送路３に戻ることから、該皿８が該循環搬送路３からはみだして落下することを防止することができる。
【００１９】
又、本発明の実施例２は低コストで実現することができるため、材料費のコストダウンを図ることができる。
【産業上の利用可能性】
【００２０】
本発明は、使い勝手がよい構成を低コストで実現することができるため、市場における拡販及び利便性の向上を期待することができる。
【符号の説明】
【００２１】
１    飲食物循環搬送装置
２    飲食物循環搬送装置
３    循環搬送路
４    レール部
５    傾斜した部分
６    湾曲した部分
７    略水平な部分
８    皿
９    皿８の脚
１０  皿８の軌道修正部
【要約】      （修正有）【課題】寿司などの飲食物などを置いた皿の略端部をつまんで該皿の略端部あるいは該皿の脚を滑らせた形態で該皿を該傾斜した部分を介して該循環搬送路にスムーズに置くこと、該皿の略端部をつまんで該皿の略端部あるいは該皿の脚を滑らせた形態で該皿を該循環搬送路から該傾斜した部分を介してスムーズに取ることができる飲食物循環搬送装置を提供する。【解決手段】飲食物循環搬送装置において、循環搬送路側から外側に向かって上りに傾斜した部分と略水平な部分を該循環搬送路の外側に該循環搬送路の両側に有するレール部のうちの少なくとも一方の該レール部に渡って設ける。【選択図】図１【図１】
0004730861.tif 000002
【図２】
0004730861.tif 000003
【図３】
0004730861.tif 000004
【図４】
0004730861.tif 000005
【図５】
0004730861.tif 000006
【図６】
0004730861.tif 000007
【図７】
0004730861.tif 000008
【図８】
0004730861.tif 000009
【図９】
0004730861.tif 000010
【図１０】
0004730861.tif 000011
【図１１】
0004730861.tif 000012
【図１２】
0004730861.tif 000013